(57)【要約】【課題】  表示モニタに表示されたリストから所望の項目を的確に選択できるナビゲーション装置を提供する。【解決手段】    複数の項目よりなるリストの一部を表示リスト３０として表示モニタ１６に表示する。この表示リスト３０の最下行に表示された項目３１ｅを選択すると、アクティブ表示の位置が項目３１ｄから表示リスト３０の最下行の位置に移動するのではなく、表示リスト３０が１行上方にスクロールされ、項目３１ｅが下から２行目の位置に移動することによって項目３１ｅがアクティブ表示される。【選択図】図５
2007085988.tif 000002
【特許請求の範囲】
【請求項１】
複数の項目からなるリストのうちの一部の項目を表示モニタに表示リストとして表示するリスト表示手段と、
前記表示リストに表示されている項目のうちの１つを選択する項目選択手段とを備えたナビゲーション装置において、
前記リスト表示手段は、前記項目選択手段によって前記表示リストの最上行に表示された項目が選択されると前記表示リストを下方にスクロールし、前記項目選択手段によって前記表示リストの最下行に表示された項目が選択されると前記表示リストを上方にスクロールすることを特徴とするナビゲーション装置。
【請求項２】
請求項１に記載のナビゲーション装置において、
前記リスト表示手段は、前記表示リストの最上行に表示されている項目が前記リストの最上行の項目である場合は、前記項目選択手段によって前記表示リストの最上行に表示された項目が選択されても前記表示リストを下方にスクロールせず、前記表示リストの最下行に表示されている項目が前記リストの最下行の項目である場合は、前記項目選択手段によって前記表示リストの最下行に表示された項目が選択されても前記表示リストを上方にスクロールしないことを特徴とするナビゲーション装置。
【請求項３】
複数の項目からなるリストのうちの一部の項目を表示モニタに表示リストとして表示するリスト表示手段と、
前記表示リストに表示されている項目のうちの１つを選択する項目選択手段とを備えたナビゲーション装置において、
前記リスト表示手段は、前記項目選択手段によって前記表示リストの上から２番目に表示された項目が選択されると前記表示リストを下方にスクロールし、前記項目選択手段によって前記表示リストの下から２番目に表示された項目が選択されると前記表示リストを上方にスクロールすることを特徴とするナビゲーション装置。
【請求項４】
複数の項目からなるリストのうちの一部の項目を表示モニタに表示リストとして表示するリスト表示手段と、
前記表示リストに表示されている項目のうちの１つを選択する項目選択手段とを備えたナビゲーション装置において、
前記表示手段は、前記項目選択手段により選択される項目の変更に伴い前記表示リストを上下にスクロールするとき、前記項目選択手段により選択された項目を前記表示リストの最下行および最上行以外の位置に表示しながら前記表示リストをスクロールすることを特徴とするナビゲーション装置。
【発明の詳細な説明】
【技術分野】
【０００１】
本発明は、目的地設定で検索した施設などを一覧表示し、その一覧から所望の施設などを選択できるナビゲーション装置に関する。
【背景技術】
【０００２】
表示モニタに表示された目的地候補リストのアクティブ表示の位置をリモコンのジョグキーで上下させ、所望の目的地候補を選択することができるナビゲーション装置が従来技術として知られている（特許文献１）。このナビゲーション装置では、リモコンのジョグキーを下方に傾倒したとき、アクティブ表示の位置が表示されているリストの一番下の場合は、リストを１列上にスクロールして新しく表示された項目をアクティブ表示にし、リモコンのジョグキーを上方に傾倒したとき、アクティブ表示の位置が表示されているリストの一番上の場合は、リストを１列下にスクロールして新しく表示された項目をアクティブ表示にする。
【特許文献１】特開２００３−９７９６５号公報
【発明の開示】
【発明が解決しようとする課題】
【０００３】
特許文献１のナビゲーション装置では、リストをスクロールすると新しく表示された項目がアクティブ表示されるため、新しく表示された項目を選択しようとしているうちにアクティブ表示の位置がさらに新しく表示された項目に移り、間違って別の項目を選択してしまう場合がある。このため、的確に所望の項目を選択できないという問題点がある。
【課題を解決するための手段】
【０００４】
（１）請求項１の発明は、複数の項目からなるリストのうちの一部の項目を表示モニタに表示リストとして表示するリスト表示手段と、表示リストに表示されている項目のうちの１つを選択する項目選択手段とを備えたナビゲーション装置において、リスト表示手段は、項目選択手段によって表示リストの最上行に表示された項目が選択されると表示リストを下方にスクロールし、項目選択手段によって表示リストの最下行に表示された項目が選択されると表示リストを上方にスクロールすることを特徴とする。
（２）請求項２の発明は、請求項１に記載のナビゲーション装置において、リスト表示手段は、表示リストの最上行に表示されている項目がリストの最上行の項目である場合は、項目選択手段によって表示リストの最上行に表示された項目が選択されても表示リストを下方にスクロールせず、表示リストの最下行に表示されている項目がリストの最下行の項目である場合は、項目選択手段によって表示リストの最下行に表示された項目が選択されても表示リストを上方にスクロールしないことを特徴とする。
（３）請求項３の発明は、複数の項目からなるリストのうちの一部の項目を表示モニタに表示リストとして表示するリスト表示手段と、表示リストに表示されている項目のうちの１つを選択する項目選択手段とを備えたナビゲーション装置において、リスト表示手段は、項目選択手段によって表示リストの上から２番目に表示された項目が選択されると表示リストを下方にスクロールし、項目選択手段によって表示リストの下から２番目に表示された項目が選択されると前記表示リストを上方にスクロールすることを特徴とする。
（４）請求項４の発明は、複数の項目からなるリストのうちの一部の項目を表示モニタに表示リストとして表示するリスト表示手段と、表示リストに表示されている項目のうちの１つを選択する項目選択手段とを備えたナビゲーション装置において、表示手段は、項目選択手段により選択される項目の変更に伴い表示リストを上下にスクロールするとき、項目選択手段により選択された項目を表示リストの最下行および最上行以外の位置に表示しながら表示リストをスクロールすることを特徴とする。
【発明の効果】
【０００５】
本発明によれば、表示リストの最上行に表示された項目が選択されると表示リストは下方にスクロールされ、表示リストの最下行に表示された項目を選択すると表示リストは上方にスクロールされる。したがって、常に次に選択する項目が表示リストに表示されるので表示リストから所望の項目を的確に選択できる。
【発明を実施するための最良の形態】
【０００６】
本発明によるナビゲーション装置の構成を図１に示す。図１のナビゲーション装置１は、目的地設定などで検索した施設などをリスト表示する。ナビゲーション装置１は、制御回路１１、ＲＯＭ１２、ＲＡＭ１３、現在地検出装置１４、画像メモリ１５、表示モニタ１６、スピーカ１７、入力装置１８およびディスクドライブ１９を有している。ディスクドライブ１９には、地図データが記録されたＤＶＤ−ＲＯＭ１１０が装填される。
【０００７】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１がＤＶＤ−ＲＯＭ１１０に記憶された地図データに基づいて所定の経路探索処理を行うと、その処理結果が推奨経路として表示モニタ１６に表示される。
【０００８】
現在地検出装置１４は車両の現在地を検出する装置であり、たとえば、車両の進行方向を検出する振動ジャイロ１４ａ、車速を検出する車速センサ１４ｂ、ＧＰＳ（Ｇｌｏｂａｌ  Ｐｏｓｉｔｉｏｎｉｎｇ  Ｓｙｓｔｅｍ）衛星からのＧＰＳ信号を検出するＧＰＳセンサ１４ｃなどから成る。ナビゲーション装置１は、この現在地検出装置１４により検出された車両の現在地に基づいて、地図の表示範囲や経路探索開始点などを決定するとともに、地図上にその現在地を表示する。
【０００９】
画像メモリ１５は、表示モニタ１６に表示するための画像データを格納する。この画像データは道路地図描画用データや各種の図形データからなり、それらはディスクドライブ１９によって読み込まれるＤＶＤ−ＲＯＭ１１０に記憶された地図データに基づいて、適宜生成される。ナビゲーション装置１は、このようにして生成された画像データを用いることによって地図表示など行うことができる。
【００１０】
ディスクドライブ１９は、装填されたＤＶＤ−ＲＯＭ１１０から、表示モニタ１６へ地図を表示するための地図データを読み出す。地図データは、地図表示用データ、経路探索用データなどを含み、表示用および経路探索用データには、道路のリンク情報およびノード情報が含まれている。地図表示用データは、広域から詳細まで複数の縮尺の地図データを有し、乗員の要求に従って、表示地図の縮尺を変更することができる。なお、ＤＶＤ−ＲＯＭ１１０以外の他の記録メディア、たとえばＣＤ−ＲＯＭやハードディスクなどより地図データを読み出してもよい。
【００１１】
表示モニタ１６は、地図データなどの各種情報に基づいて、自車位置付近の道路地図などの各種情報を画面表示としてナビゲーション装置１の乗員に提供する。スピーカ１７は、乗員の各種入力操作をガイトしたり、乗員に対し経路誘導するための音声などを発生する。
【００１２】
入力装置１８は、車両の目的地などを乗員が設定するための入力スイッチを有し、これは操作パネルやリモコンなどによって実現される。リモコンにはジョイスティックが設けられており、ジョイスティックを用いることによって表示モニタ１６に表示された各種設定項目や検索リストなどから選択することができる。リモコンに設けられたジョイスティックの詳細については後述する。乗員は、表示モニタ１６の表示画面の指示または、スピーカ１７からの音声の指示に従って入力装置１８を操作することにより、目的地を選択して設定する。
【００１３】
目的地が乗員により設定されると、ナビゲーション装置１は、現在地検出手段１４により検出された現在地を出発地として目的地までの経路演算を所定のアルゴリズムに基づいて行う。以下、この経路演算を経路探索と呼ぶ。このようにして求められたルート（以下、推奨経路という）は、表示形態、たとえば表示色などを変えることによって、ほかの道路とは区別して画面表示される。これにより、乗員は地図上の推奨経路を画面上で認識することができる。また、ナビゲーション装置１は、推奨経路に従って車両が走行できるように、乗員に対して画面や音声などによる進行方向指示を行い、車両を誘導する。
【００１４】
次に、リモコン２０について図２を参照して説明する。図２（ａ）に示すように、リモコン２０は、ジョイスティック２２、戻るボタン２４、メニューボタン２５、２６広域ボタン２６、詳細ボタン２７および現在地ボタン２８を備えている。また、リモコン２０の先端には、リモコン２０の操作内容をナビゲーション装置１本体に送信するためのリモコン発光部２１を備えている。リモコン２０において、リモコン発光部２１の位置の方向を以下、上方向と呼ぶ。
【００１５】
ジョイスティック２２はリモコン２０の上半部に設けられており、その周りには、ジョイスティックを傾斜させた方向がわかるようにするため、上方向、右斜め上方向、右方向、右斜め下方向、下方向、左斜め下方向、左方向および左斜め上方向の８方向に目印２３が設けられている。図２（ｂ）に示すように、ジョイスティック２２を上方向、右斜め上方向、右方向、右斜め下方向、下方向、左斜め下方向、左方向および左斜め上方向の８方向に傾倒することができる。この傾倒方向によって地図表示位置を変えたり、種々の設定項目や検索リストの中の項目の選択などすることができる。また、ジョイスティック２２を傾倒する以外に、図２（ｃ）に示すようにジョイスティック２２を押すことができる。ジョイスティック２２を押すことによって選択したものを確定したり選んだスイッチの内容を実行したりすることができる。
【００１６】
リモコン２０に設けられている戻るボタン２４は、表示モニタ１６の表示画面を一つ前の表示画面に戻すボタンである。メニューボタン２５は、ナビゲーション装置１の機能を選択するためのメニューを表示するためのものである。広域ボタン２６は、表示モニタ１６に表示されている道路地図をより縮尺率の小さな道路地図に切換えるためのものである。詳細ボタン２７は、道路地図をより縮尺率の大きな道路地図に切換えるためのものである。現在地ボタン２８は、車両の現在地が表示されている道路地図に表示を切換えるためのものである。
【００１７】
本発明のナビゲーション装置１では、所定のリストを表示モニタ１６に表示する。そして、上記リモコン２０のジョイスティック２２を操作して、リストの中から所望の項目を選択することができる。項目を選択するためのリスト表示処理について、図３〜図９を参照して説明する。
【００１８】
乗員は推奨経路を探索するために目的地を設定する。目的地は住所から設定するものとし、リモコン２０のジョイスティックを操作して不図示の「住所から目的地を設定」マークを選択したものとする。その選択後、ジョイスティック２２を押すと、図３に示す都道府県名が表示された表示リスト３０が表示モニタ１６に表示される。乗員は、表示リスト３０の項目に表示されている都道府県名から目的地の都道府県名を選択する。
【００１９】
図３の表示リスト３０について図４を参照して説明する。全都道府県名のリストである全リスト４０のうちの表示範囲４１に含まれる５つの都道府県名が、表示リスト３０に表示される。ここで、全リスト４０は都道府県名を５０音の順序で並べたものである。全リスト４０の項目には、上から「愛知県」、「青森県」、「秋田県」、「石川県」、「茨城県」、「岩手県」・・・「宮城県」、「宮崎県」、「山形県」、「山梨県」、「和歌山県」の順序で都道府県名が並ぶ。
【００２０】
ジョイスティック２２を上下方向に傾倒することによって、表示リスト３０の項目に表示されている都道府県名の中から所望の都道府県名を選択することができる。以下、選択された項目を選択項目と呼び、ジョイスティック２２を下方向に傾倒する操作を、選択項目を下方向に変更する操作と呼び、ジョイスティック２２を上方向に傾倒する操作を、選択項目を上方向に変更する操作と呼ぶ。選択項目における都道府県名の表示は、他の都道府県の表示と色などの表示態様を変えて表示される。このように表示態様を変えた表示を以後、アクティブ表示と呼ぶ。図３では、背景が白地の「愛知県」３１ａがアクティブ表示されている。
【００２１】
はじめに選択項目を下方向に変更したときのアクティブ表示の表示位置の移動について説明する。選択項目を下方向に変更したときのアクティブ表示の表示位置の移動は、アクティブ表示の表示位置によって変わる。アクティブ表示の表示位置が表示リスト３０の下から３行目もしくはそれより上の位置である場合は、選択項目を下方向に変更すると、アクティブ表示の表示位置は下方向に移動する。たとえば、図３の「愛知県」３１ａから「石川県」３１ｄまでアクティブ表示の表示位置を変更する場合は、アクティブ表示の表示位置が表示リスト３０の最上行から下から２番目の行に移動して、図５に示すように、「石川県」３１ｄがアクティブ表示になる。
【００２２】
一方、アクティブ表示の表示位置が表示リスト３０の下から２行目に位置する場合は、選択項目を下方向に変更して最下行の項目を選択しても、表示リスト３０におけるアクティブ表示の表示位置は変わらない。この場合、図４の全リスト４０の表示範囲４１が１行下がる、つまり表示リスト３０を上方向に１行スクロールすることによって、最下行に表示されていた項目の都道府県名がアクティブ表示になる。たとえば、図５の「石川県」３１ｄから「茨城県」３１ｅにアクティブ表示を変更する場合、表示リスト３０におけるアクティブ表示の表示位置は変わらないまま表示リスト３０を１行上方向にスクロールして、図６に示すように、「茨城県」３１ｅがアクティブ表示になる。
【００２３】
ただし、表示リスト３０の最下行の項目に表示されている都道府県名が全リスト４０の最下行の項目、つまり「和歌山県」７１ｅの場合は、図７に示すように、選択項目を下方向に変更するとアクティブ表示は表示リスト３０の最下行の項目に移動し、「和歌山県」７１ｅがアクティブ表示になる。このとき、表示リスト３０を上方向にスクロールしない。
【００２４】
次に選択項目を上方向に変更したときのアクティブ表示の表示位置の移動について説明する。選択項目を上方向に変更したときのアクティブ表示の表示位置の移動も、下方向に変更した場合と同様に、変更前のアクティブ表示の表示位置によって変わる。
【００２５】
アクティブ表示の表示位置が表示リスト３０の上から３行目もしくはそれより下の位置である場合は、選択項目を上方向に変更するとアクティブ表示は上方向の項目に移動する。たとえば、図７の「和歌山県」７１ｅから「山形県」７１ｂにアクティブ表示を変更する場合は、アクティブ表示の表示位置が表示リスト３０の最下行の項目から、上から２行目の項目に移動して、図８に示すように、「山形県」７１ｂがアクティブ表示になる。
【００２６】
一方、アクティブ表示の表示位置が表示リスト３０の上から２行目の項目である場合は、選択項目を上方向に変更して最上行の項目を選択しても、アクティブ表示の表示位置は上から２行目の位置で変わらない。この場合、図４の全リスト４０の表示範囲４１が１行分上方へ移動する、つまり、表示リスト３０を１行下方向へスクロールすることによって、最上行に表示されていた項目がアクティブ表示になる。たとえば、図８の「山形県」７１ｂから「宮崎県」７１ａにアクティブ表示を変更する場合、表示リスト３０におけるアクティブ表示の表示位置は、上から２行目の位置のまま表示リスト３０を１行下方へスクロールすることによって、図９に示すように、「宮崎県」７１ａがアクティブ表示になる。
【００２７】
ただし、表示リスト３０の最上行に表示されている都道府県名が全リスト４０の最上行の項目、つまり「愛知県」３１ａの場合は、選択項目を上方向に変更するとアクティブ表示は表示リスト３０の最上行の項目に移動する（図３を参照）。そして、この場合は、表示リスト３０をスクロールしない。
【００２８】
本発明の実施形態によるナビゲーション装置１のリスト表示処理について、図１０，１１のフローチャートを参照して説明する。図１０，１１の処理は、リストが表示モニタに表示されるとスタートするプログラムにより、制御回路１１において実行される。
【００２９】
ステップＳ１００１では、ジョイスティック２２が下方に傾倒されたか判定する。下方に傾倒された場合はステップＳ１００１が肯定判定され、ステップＳ１００２へ進む。否定判定された場合は図１１のステップＳ１１０１へ進む。ステップＳ１００２では、アクティブ表示の表示位置が表示リスト３０の下から３行目もしくはそれより上の位置であるか判定する。下から３行目もしくはそれより上の位置の場合はステップＳ１００２が肯定判定され、ステップＳ１００３へ進む。表示リスト３０の下から２行目もしくはそれより下の位置の場合はステップＳ１００２が否定判定され、ステップＳ１００４へ進む。
【００３０】
ステップＳ１００３では、アクティブ表示の表示位置を１行下げる。そしてリターンする。ステップＳ１００４では、アクティブ表示の表示位置は表示リスト３０の下から２行目の位置であるか判定する。下から２行目の位置の場合はステップＳ１００４が肯定判定され、ステップＳ１００５へ進む。下から１行目の場合、たとえば「和歌山県」７１ｅの場合はステップＳ１００４が否定判定され、そのままリターンする。
【００３１】
ステップＳ１００５では、表示リスト３０の最下行の項目は全リスト４０の最下行の項目であるか判定する。全リスト４０の最下行の項目の場合はステップＳ１００５が肯定判定され、ステップＳ１００３へ進む。全リスト４０の最下行の項目でない場合はステップＳ１００５が否定判定され、ステップＳ１００６へ進む。ステップＳ１００６では、アクティブ表示の表示位置を表示リスト３０の下から２行目に維持したまま、表示リスト３０を１行上方にスクロールする。そして、リターンする。
【００３２】
図１１のステップＳ１１０１では、ジョイスティック２２が上方に傾倒されたか判定する。上方に傾倒された場合はステップＳ１１０１が肯定判定され、ステップＳ１１０２へ進む。否定判定された場合はそのままリターンする。ステップＳ１１０２では、アクティブ表示の表示位置が表示リスト３０の上から３行目もしくはそれより下の位置であるか判定する。上から３行目もしくはそれより下の位置の場合はステップＳ１１０２が肯定判定され、ステップＳ１１０３へ進む。表示リスト３０の上から２行目もしくはそれより上の位置の場合はステップＳ１１０２が否定判定され、ステップＳ１１０４へ進む。
【００３３】
ステップＳ１１０３では、アクティブ表示の表示位置を１行上げる。そしてリターンする。ステップＳ１１０４では、アクティブ表示の表示位置は表示リストの上から２行目の位置であるか判定する。上から２行目の位置の場合はステップＳ１１０４が肯定判定され、ステップＳ１１０５へ進む。上から１行目の場合、たとえば「愛知県」７１ａの場合はステップＳ１１０４が否定判定され、そのままリターンする。
【００３４】
ステップＳ１１０５では、表示リスト３０の最上行の項目は全リスト４０の最上行の項目であるか判定する。全リスト４０の最上行の項目の場合はステップＳ１１０５が肯定判定され、ステップＳ１１０３へ進む。全リスト４０の最上行の項目でない場合はステップＳ１１０５が否定判定され、ステップＳ１１０６へ進む。ステップＳ１１０６では、アクティブ表示の表示位置を表示リスト３０の上から２行目に維持したまま、表示リスト３０を１行下方向へスクロールする。そして、リターンする。
【００３５】
以上の本発明の実施の形態によるナビゲーション装置１は次のような作用効果を奏する。
（１）表示リスト３０の最上行に表示された項目が選択されると表示リスト３０は下方にスクロールされ、表示リスト３０の最下行に表示された項目を選択すると表示リスト３０は上方にスクロールされる。したがって、常に次に選択する項目が表示リストに表示されるので表示リストから所望の項目を的確に選択できる。
【００３６】
（２）表示リスト３０の最上行に全リスト４０の最上行の都道府県名が表示される場合と表示リスト３０の最下行に全リスト４０の最下行の都道府県名が表示される場合とだけに、表示リスト３０の最上行および最下行にアクティブ表示は移動するので、表示リスト３０の最上行の都道府県名がアクティブ表示されたとき、その都道府県名が全リスト４０の最上行の都道府県名であることを認識することができ、表示リスト３０の最下行の都道府県名がアクティブ表示されたとき、その都道府県名が全リスト４０の最下行の都道府県名であることを認識することができる。したがって、全リスト４０の最上行が表示リスト３０の最上行に表示されているのに、選択項目を上方向に変更しようとしたり、全リスト４０の最下行が表示リスト３０の最下行に表示されているのに、選択項目を下方向に変更しようとしたりする操作を防止することができる。
【００３７】
（３）表示リスト３０の最上行に全リスト４０の最上行の都道府県名が表示される場合と表示リスト３０の最下行に全リスト４０の最下行の都道府県名が表示される場合とを除き、表示リスト３０の最上行および最下行にアクティブ表示は移動しないので、表示リスト３０をスクロールしたとき、次にアクティブ表示になる都道府県名を事前に認識することができる。したがって、表示リスト３０から所望の都道府県名を的確に選択できる。
【００３８】
以上の実施の形態を次のように変形することができる。
（１）全リストの一部を表示リストとして表示するものであれば、５０音の順序で並んだ都道府県名のリストに限定されない。たとえば、目的地設定のために施設のジャンルや名称から検索した施設リストなどでもよい。
（２）表示リストの行数はとくに限定されないが、リスト全体が人間の視野の範囲に含まれることが好ましいので、５〜６行であることが好ましい。
（３）表示リストの最上行にリストの最上行の項目が表示される場合と表示リスト最下行に全リストの最下行の項目が表示される場合とを除き、表示リストの最上行および最下行はアクティブ表示されなければ、上記の場合以外のアクティブ表示の移動範囲は表示リストの上から２行目と下から２行目との間に限定されない。たとえば、表示リストの上から３行目と下から３行目との間でもよい。この場合、表示リストの上から２番目に表示された項目が選択されると表示リストを下方にスクロールし、表示リストの下から２番目に表示された項目が選択されると表示リストを上方にスクロールすることになる。このようにすることによって、常に次およびその次に選択する項目が表示リストに表示されるので、表示リストから所望の項目をより的確に選択できる。
（４）表示リスト選択操作のための装置はリモコンのジョイスティックに限定されない。たとえば、操作パネルに設けられてスイッチでもよい。
（５）表示リストのうちのどの項目が選択されたか認識できれば、選択された項目をアクティブ表示にすることに限定されない。たとえば、選択された項目に矢印などの目印が表示されるようにしてもよい。この場合、リストをスクロールするとアクティブ表示が移動するのと同様に目印は移動する。
（６）表示画面に全リストの一部を表示リストとして表示するものであれば、ナビゲーション装置に限定されない。たとえば、携帯電話、デジタルオーディオプレーヤ、ＰＤＡなどに使用してもよい。
【００３９】
本発明は、複数の項目からなるリストのうちの一部の項目を表示モニタに表示リストとして表示するリスト表示手段と、表示リストに表示されている項目のうちの１つを選択する項目選択手段とを備えたナビゲーション装置において、リスト表示手段は、項目選択手段によって表示リストの最上行に表示された項目が選択されると表示リストを下方にスクロールし、項目選択手段によって表示リストの最下行に表示された項目が選択されると表示リストを上方にスクロールすることを特徴とする構成を有していれば、以上説明した実施の形態になんら限定されない。
【００４０】
特許請求の範囲の要素と実施の形態との対応関係を説明する。
本発明のリスト表示手段は制御回路１１および表示モニタ１６に対応し、項目選択手段は制御回路１１および入力装置１８に対応する。なお、以上の説明はあくまで一例であり、発明を解釈する上で、上記の実施形態の構成要素と本発明の構成要素の対応関係になんら限定されるものではない。
【図面の簡単な説明】
【００４１】
【図１】本発明の実施形態によるナビゲーション装置の構成を示すブロック図である。
【図２】リモコンのジョイスティックを説明するための図である。
【図３】都道府県名リストを説明するための図である。
【図４】全都道府県名リストを説明するための図である。
【図５】図３の都道府県リストのアクティブ表示位置を下方向に移動したときの都道府県名リストを説明するための図である。
【図６】アクティブ表示を図５の都道府県名リストの最下行の都道府県名に変更したときの都道府県名リストを説明するための図である。
【図７】全都道府県名リストの最下行の都道府県名が、最下行に表示されたときの都道府県名リストを説明するための図である。
【図８】図７の都道府県リストのアクティブ表示位置を上方向に移動したときの都道府県名リストを説明するための図である。
【図９】アクティブ表示を図８の都道府県名リストの最上行の都道府県名に変更したときの都道府県名リストを説明するための図である。
【図１０】リスト表示処理を説明するためのフローチャートである。
【図１１】リスト表示処理を説明するためのフローチャートである。
【符号の説明】
【００４２】
１  ナビゲーション装置
１１  制御回路
１６  表示モニタ
１８  入力装置
２０  リモコン
２２  ジョイスティック
３０  表示リスト
４０  全リスト
４１  表示範囲
【図１】
2007085988.tif 000003
【図２】
2007085988.tif 000004
【図３】
2007085988.tif 000005
【図４】
2007085988.tif 000006
【図５】
2007085988.tif 000007
【図６】
2007085988.tif 000008
【図７】
2007085988.tif 000009
【図８】
2007085988.tif 000010
【図９】
2007085988.tif 000011
【図１０】
2007085988.tif 000012
【図１１】
2007085988.tif 000013